(57)【要約】【課題】  弾丸を破砕させることなく確実に停止させることができ、かつ弾丸の回収も容易な射撃訓練システム用バックストップを提供する。【解決手段】  標的の後方に射撃方向に沿って少なくとも1列配置されたタイヤ状ゴム部材１２と、前記タイヤ状ゴム部材の後方に配置された少なくとも1枚の弾丸停止用ゴム板１４と、前記標的と前記タイヤ状ゴム部材との間の少なくとも前記タイヤ状ゴム部材の前部に配置された前部ゴム板１０と、前記弾丸停止用ゴム板１４の後方に配置された弾丸停止用鋼板１８とを備える。【選択図】  図１
2005221198.tif 000002
【特許請求の範囲】
【請求項１】
標的の後方に射撃方向に沿って少なくとも1列配置されたタイヤ状ゴム部材と、
前記タイヤ状ゴム部材の後方に配置された少なくとも1枚の弾丸停止用ゴム板と、
を備えることを特徴とする射撃訓練システム用バックストップ。
【請求項２】
前記タイヤ状ゴム部材は、前記標的の被弾集中位置の後方に配置されていることを特徴とする請求項1記載の射撃訓練システム用バックストップ。
【請求項３】
前記標的と前記タイヤ状ゴム部材との間の少なくとも前記タイヤ状ゴム部材の前方に前部ゴム板を更に備えることを特徴とする請求項１または請求項２記載の射撃訓練システム用バックストップ。
【請求項４】
前記弾丸停止用ゴム板の後方に弾丸停止用鋼板を更に備えることを特徴とする請求項１〜請求項３の何れか一項に記載の射撃訓練システム用バックストップ。
【請求項５】
前記タイヤ状ゴム部材及び前記弾丸停止用ゴム板の下部に弾丸回収用傾斜部材を備えることを特徴とする請求項１〜請求項４の何れか一項に記載の射撃訓練システム用バックストップ。
【請求項６】
前記弾丸停止用ゴム板は、上部に着脱機構を備えていることを特徴とする請求項１〜請求項５の何れか一項に記載の射撃訓練システム用バックストップ。
【発明の詳細な説明】
【技術分野】
【０００１】
この発明は、拳銃やライフル銃を用いて射撃訓練を行う射撃訓練システムにおいて発射された弾丸を停止させる射撃訓練システム用バックストップに関するものである。
【背景技術】
【０００２】
従来、射撃訓練システム用バックストップとして、標的の後方に傾斜させた状態で配置された複数枚のブレードにより弾丸を停止させる停弾装置が存在する（特許文献1参照）。この停弾装置においては、射撃手に近い部位である前部を高くし、射撃手に遠い部位である後部を低くした複数枚の高硬度の金属製のブレードを用いて弾丸を停止させている。
【０００３】
また、射撃訓練システム用バックストップとして、ケーシング内部にチップ状の弾粘性部材を充填し、チップ状の弾粘性部材により弾丸を停止させる停弾装置が存在する（特許文献２参照）。この停弾装置においては、ケーシング内部にチップ状の弾粘性部材を充填し、ケーシングの前方に弾性膜材を設置し、弾性膜材を通過した弾丸の運動エネルギをチップ状の弾粘性部材により減少させて減速させ、チップ状の弾粘性部材の内部において弾丸を停止させている。
【０００４】
【特許文献１】特開平９−１７０８９９号公報
【特許文献２】特開２００２−３１８０９７号公報
【発明の開示】
【発明が解決しようとする課題】
【０００５】
しかしながら、上述の特許文献１に開示されている停弾装置においては、高硬度の金属製のブレードを用いて弾丸を停止させているため、ブレードに当たった弾丸が衝撃により破砕することがあり、弾丸の破砕により発生した鉛粉が人体に悪影響を及ぼす恐れがある。また、高硬度の金属製のブレードを用いて弾丸を停止させるため、弾丸がブレードに当たった時に非常に大きな音が発生して射撃訓練場及びその近隣に騒音の被害をもたらす。
【０００６】
また、上述の特許文献２に開示されている停弾装置においては、弾丸を破砕させることなく停止させることが可能であるが、チップ状の弾粘性部材の内部において弾丸が停止するため、弾丸の回収のために多大な労力が必要となる。また、被弾数の増加、被弾の衝撃によりチップ状の弾粘性部材が下方に移動し、上部の弾留性能が劣化するという問題がある。更に、チップ状の弾粘性部材が下方に移動することによりケーシングの前方に弾性膜材が張り出し、外観が悪化するという問題もある。また、ケーシングの内部に硝煙が滞留するという問題もある。
【０００７】
この発明の課題は、弾丸を破砕させることなく確実に停止させることができ、かつ弾丸の回収も容易な射撃訓練システム用バックストップを提供することである。
【課題を解決するための手段】
【０００８】
請求項１記載の射撃訓練システム用バックストップは、標的の後方に射撃方向に沿って少なくとも1列配置されたタイヤ状ゴム部材と、前記タイヤ状ゴム部材の後方に配置された少なくとも1枚の弾丸停止用ゴム板とを備えることを特徴とする。
【０００９】
この請求項1記載の射撃訓練システム用バックストップによれば、標的の後方に射撃方向に沿って少なくとも1列、タイヤ状ゴム部材が配列されているため、標的に当たった弾丸の運動エネルギを十分に減少させることができ、仮に弾丸がタイヤ状ゴム部材を貫通した場合においても、タイヤ状ゴム部材の後方に少なくとも1枚の弾丸停止用ゴム板が配置されているため、跳弾の発生を防止し確実に弾丸を停止させることができる。また、弾丸を破砕させることなく停止させることができ、人体に悪影響を及ぼす鉛粉の発生を防止することができる。
【００１０】
また、請求項２記載の射撃訓練システム用バックストップは、前記タイヤ状ゴム部材が、前記標的の被弾集中位置の後方に配置されていることを特徴とする。この請求項２記載の射撃訓練システム用バックストップによれば、タイヤ状ゴム部材が標的の被弾集中位置の後方に配置されているため、多くの弾丸は、タイヤ状ゴム部材により停止させることができ、弾丸停止用ゴム板が弾丸により受ける損傷を最小限のものとすることができ、低コストで確実に弾丸を停止させることができる。
【００１１】
また、請求項３記載の射撃訓練システム用バックストップは、前記標的と前記タイヤ状ゴム部材との間の少なくとも前記タイヤ状ゴム部材の前方に前部ゴム板を更に備えることを特徴とする。この請求項３記載の射撃訓練システム用バックストップによれば、少なくともタイヤ状ゴム部材の前方に前部ゴム板を備えるため、仮にタイヤ状ゴム部材により弾丸が跳ね返ったとしても前部ゴム板により射撃手側に弾丸が跳ね返るのを防止することができる。また、前部ゴム板により後方のタイヤ状ゴム部材を見えなくすることができるため、射撃手が集中して射撃訓練を行うことができる。
【００１２】
また、請求項４記載の射撃訓練システム用バックストップは、前記弾丸停止用ゴム板の後方に弾丸停止用鋼板を更に備えることを特徴とする。この請求項４記載の射撃訓練システム用バックストップによれば、弾丸の運動エネルギが大きく、タイヤ状ゴム部材及び弾丸停止用ゴム板を貫通した場合においても、確実に弾丸を停止させることができる。
【００１３】
また、請求項５記載の射撃訓練システム用バックストップは、前記タイヤ状ゴム部材及び前記弾丸停止用ゴム板の下部に弾丸回収用傾斜部材を備えることを特徴とする。この請求項５記載の射撃訓練システム用バックストップによれば、タイヤ状ゴム部材または弾丸停止用ゴム板に当たって、停止した弾丸がタイヤ状ゴム部材または弾丸停止用ゴム板の下方に落下し、弾丸回収用傾斜部材上を転がって1箇所に集まるため、容易に弾丸の回収を行うことができる。
【００１４】
また、請求項６記載の射撃訓練システム用バックストップは、前記弾丸停止用ゴム板の上部に着脱機構を備えていることを特徴とする。この請求項６記載の射撃訓練システム用バックストップによれば、弾丸停止用ゴム板の上部が着脱機構により着脱自在に取付けられていることから、タイヤ状ゴム部材に近い位置に配置されている弾丸停止用ゴム板の損傷が大きくなった場合には、その弾丸停止用ゴム板のみの交換、またはタイヤ状ゴム部材に遠い位置に配置されている弾丸停止用ゴム板との交換を行うことにより、長期間にわたって弾丸停止用ゴム板を使用することができる。
【発明の効果】
【００１５】
この発明の射撃訓練システム用バックストップによれば、標的の後方に射撃方向に沿って少なくとも1列、タイヤ状ゴム部材が配列されているため、標的に当たった弾丸の運動エネルギを十分に減少させることができ、仮に弾丸がタイヤ状ゴム部材を貫通した場合においても、タイヤ状ゴム部材の後方に少なくとも1枚の弾丸停止用ゴム板が配置されているため、跳弾の発生を防止し確実に弾丸を停止させることができる。また、弾丸を破砕させることなく停止させることができ、人体に悪影響を及ぼす鉛粉の発生を防止することができる。更に、タイヤ状ゴム部材または弾丸停止用ゴム板により弾丸を停止させるため、弾丸を停止させる際に発生する騒音を小さくすることができる。
【００１６】
また、射撃訓練システム用バックストップによれば、タイヤ状ゴム部材が標的の被弾集中位置の後方に配置されているため、タイヤ状ゴム部材が弾丸により受ける損傷を最小限のものとすることができ、低コストで確実に弾丸を停止させることができる。更に、弾丸の回収も容易に行うことができる。
【発明を実施するための最良の形態】
【００１７】
以下、図面を参照して、この発明の第１の実施の形態に係る射撃訓練システム用バックストップについて説明する。
【００１８】
図１は、第１の実施の形態に係る射撃訓練システム用バックストップの平面図、図２は、第１の実施の形態に係る射撃訓練システム用バックストップの側面図である。この実施の形態に係る射撃訓練システム用バックストップ２は、図示しない標的の後方に配置される前部ゴム板１０を備えている。この前部ゴム板１０は、射撃訓練システム用バックストップ２の全幅に亘って配置されている。
【００１９】
また、前部ゴム板１０の後方には、網の目状に形成された支持部材１１上に、射撃方向に沿って３列のタイヤ状ゴム部材１２が積み上げられている。ここでタイヤ状ゴム部材１２としては、乗用車用の古タイヤ、ドーナツ状に形成したタイヤ状ゴム部材等を用いることができる。１列目のタイヤ状ゴム部材１２の間に位置するように２列目のタイヤ状ゴム部材１２が配置され、更に２列目のタイヤ状ゴム部材１２の間に位置するように３列目のタイヤ状ゴム部材１２が配置されている。また、１列目〜３列目まで複数本のタイヤ状ゴム部材１２が積み上げられているが、積み上げる本数は、この射撃訓練システムにおいて用いられる標的の大きさ等に基づいて適宜選択可能である。
【００２０】
また、タイヤ状ゴム部材１２の後方には、射撃方向に沿って９枚の弾丸停止用ゴム板１４が配置されている。各弾丸停止用ゴム板１４は、前方に積み上げられているタイヤ状ゴム部材１２と略同一の高さを有し、撃訓練システム用バックストップ２の全幅に亘って配置されている。各弾丸停止用ゴム板１４は、上部に着脱機構１６を有しており、上部が射撃訓練システム用バックストップ２に着脱自在に取付けられ吊り下げられている。
【００２１】
更に、弾丸停止用ゴム板１４の後方には、弾丸停止用鋼板１８が備えられている。弾丸停止用鋼板１８は、弾丸停止用ゴム板１４と略同一の大きさを有している。また、タイヤ状ゴム部材１２及び弾丸停止用ゴム板１４の下部には、弾丸回収用傾斜部材２０が備えられている。この弾丸回収用傾斜部材２０は、射撃手に近い部位である前部を低くし、射撃手に遠い部位である後部を高くして配置された板状の部材であり、タイヤ状ゴム部材１２または弾丸停止用ゴム板１４に当たって停止した弾丸２２が弾丸回収用傾斜部材２０上に落下すると、その表面を転がって弾丸回収用傾斜部材２０の前部に集められる。
【００２２】
この実施の形態に係る射撃訓練システム用バックストップによれば、標的の後方に射撃方向に沿って３列、タイヤ状ゴム部材１２が配列されているため、タイヤ状ゴム部材１２により弾丸２２の運動エネルギを十分に減少させることができ、仮に弾丸２２がタイヤ状ゴム部材１２を貫通した場合においても、タイヤ状ゴム部材１２の後方に９枚の弾丸停止用ゴム板１４が配置されているため、跳弾の発生を防止し確実に弾丸を停止させることができる。また、弾丸を破砕させることなく停止させることができ、人体に悪影響を及ぼす鉛粉の発生を防止することができる。
【００２３】
また、タイヤ状ゴム部材１２が標的の被弾集中位置の後方に配置されているため、多くの弾丸２２は、タイヤ状ゴム部材１２により停止させることができ、弾丸停止用ゴム板１４が弾丸２２により受ける損傷を最小限のものとすることができ、低コストで確実に弾丸を停止させることができる。更に、タイヤ状ゴム部材の前方に前部ゴム板１０を備えるため、前部ゴム板１０により後方のタイヤ状ゴム部材１２を見えなくすることができる。従って、射撃手が集中して射撃訓練を行うことができる。
【００２４】
また、この実施の形態に係る射撃訓練システム用バックストップによれば、弾丸２２の運動エネルギが大きく、タイヤ状ゴム部材１２及び弾丸停止用ゴム板１４を貫通した場合においても、弾丸停止用鋼板１８により確実に弾丸を停止させることができる。また、タイヤ状ゴム部材１２または弾丸停止用ゴム板１４に当たって、停止した弾丸２２がタイヤ状ゴム部材１２または弾丸停止用ゴム板１４の下方に落下し、弾丸回収用傾斜部材２０上を転がって1箇所に集まるため、容易に弾丸の回収を行うことができる。更に、弾丸停止用ゴム板１４の上部が着脱自在に取付けられていることから、タイヤ状ゴム部材１２に近い位置に配置されている弾丸停止用ゴム板１４の損傷が大きくなった場合には、その弾丸停止用ゴム板１４のみの交換、またはタイヤ状ゴム部材１２に遠い位置に配置されている弾丸停止用ゴム板１４との交換を行うことにより、長期間にわたってタイヤ状ゴム部材１４を使用することができる。
【００２５】
なお、上述の実施の形態においては、前部ゴム板１０が射撃訓練システム用バックストップ２の全幅に亘って配置されているが、標的とタイヤ状ゴム部材１２との間の少なくともタイヤ状ゴム部材１２の前部に配置するようにしても良い。
【００２６】
また、上述の実施の形態においては、射撃方向に沿って３列のタイヤ状ゴム部材１２が積み上げられているが、少なくとも1列のタイヤ状ゴム部材１２が配置されていれば良く、配列数は、使用する銃の弾丸の多くがタイヤ状ゴム部材で停止すればよいことから、弾丸を停止させることができる配列数を適宜選択可能である。また、積み上げるタイヤ状ゴム部材のサイズも、使用する銃の弾丸の多くがタイヤ状ゴム部材で停止すればよいことから、弾丸を停止させることができるサイズを適宜選択可能である。
【００２７】
また、上述の実施の形態においては、タイヤ状ゴム部材１２が射撃訓練システム用バックストップ２の全幅に亘って配置されているが、少なくとも標的の被弾集中位置の後方に配置されていればよい。被弾集中位置の後方にタイヤ状ゴム部材１２を配置することにより、弾丸停止用ゴム板１４の損傷を少なくすることができ、低コストで弾丸を確実に停止させることができる。
【００２８】
また、上述の実施の形態においては、タイヤ状ゴム部材１２の後方に射撃方向に沿って９枚の弾丸停止用ゴム板１４が配置されているが、少なくとも1枚の弾丸停止用ゴム板が配置されていれば良く、枚数は使用する銃の弾丸が弾丸停止用ゴム板で確実に停止する必要があるため、停止に必要な枚数を適宜選択可能である。
【００２９】
また、上述の実施の形態において、弾丸停止用ゴム板１４の上部に備えられている着脱機構１６を射撃方向に伸びるレール上を移動可能に構成しても良く、この場合には、弾丸停止用ゴム板１４の交換等を一層容易に行うことができる。更に、上述の実施の形態において、射撃訓練システム用バックストップ２の上部から下部に向かって、あるいは下部から上部に向かって換気することにより硝煙が射撃訓練システム用バックストップ２の内部に滞留するのを防止することがきる。
【００３０】
次に、第２の実施の形態に係る応用射撃訓練システムについて説明する。この応用射撃訓練システムにおいては、第１の実施の形態に係る射撃訓練システム用バックストップと略同一の構成を有する射撃訓練システム用バックストップを用いる。即ち、第１の実施の形態に係る射撃訓練システム用バックストップ２においては、９枚の弾丸停止用ゴム板１４の前方に３列のタイヤ状ゴム部材１２が積み上げられていたが、この第２の実施の形態に係る射撃訓練システム用バックストップにおいては、９枚の弾丸停止用ゴム板１４の前方に１列のタイヤ状ゴム部材１２が積み上げられている。また、第１の実施の形態に係る射撃訓練システム用バックストップにおいて弾丸停止用ゴム板１４の前方に設けられていたゴム板１０及び弾丸回収用傾斜部材２０が除かれている。
【００３１】
この応用射撃訓練システムにおいては、タイヤ状ゴム部材１２の前方に標的スクリーン３０が配置されると共に、標的スクリーン３０を裏面側から照明するバックライト３２が備えられている。また、射撃訓練室３４内には、射撃訓練を行う際に標的スクリーン３０に射撃対象物を映し出すプロジェクタ３６及び映像と共に音を発するスピーカ３８が備えられている。なお、プロジェクタ３６は、射撃手４０の左後方に配置され、スピーカ３８は、射撃手４０の後方及び左後方に配置されている。また、射撃訓練室３４内には、着弾位置検出カメラ４２も配置されている。
【００３２】
この応用射撃訓練システムにおいては、標的スクリーン３０上に映し出された射撃対象物を射撃手４０が射撃すると、弾丸は、標的スクリーン３０を貫通し、タイヤ状ゴム部材１２に当たって停止してタイヤ状ゴム部材１２の下方に落下する。また、タイヤ状ゴム部材１２を貫通した場合においても弾丸停止用ゴム板１４に当たって停止して、弾丸停止用ゴム板１４タイヤ状ゴム部材１２の下方に落下する。
【００３３】
この実施の形態に係る射撃訓練システム用バックストップによれば、標的の後方に位置するタイヤ状ゴム部材１２により弾丸の運動エネルギを十分に減少させることができ、仮に弾丸２２がタイヤ状ゴム部材１２を貫通した場合においても、タイヤ状ゴム部材１２の後方に９枚の弾丸停止用ゴム板１４が配置されているため、跳弾の発生を防止し確実に弾丸を停止させることができる。また、弾丸を破砕させることなく停止させることができ、人体に悪影響を及ぼす鉛粉の発生を防止することができる。
【００３４】
また、タイヤ状ゴム部材１２が標的の被弾集中位置、即ちスクリーン３０上に射撃対象物が投影される位置の後方に配置されているため、多くの弾丸２２は、タイヤ状ゴム部材１２により停止させることができ、弾丸停止用ゴム板１４が弾丸２２により受ける損傷を最小限のものとすることができ、低コストで確実に弾丸を停止させることができる。
【００３５】
また、この実施の形態に係る射撃訓練システム用バックストップによれば、弾丸２２の運動エネルギが大きく、タイヤ状ゴム部材１２及び弾丸停止用ゴム板１４を貫通した場合においても、弾丸停止用鋼板１８により確実に弾丸を停止させることができる。
【００３６】
次に、この発明の実施の形態に係る射撃訓練システム用バックストップを用いて行った実験の結果について説明する。この実験（実験１〜実験４）において用いた射撃訓練システム用バックストップは、厚さ１０ｍｍのネオプレンゴム製の前部ゴム板、１列のタイヤ状ゴム部材（１６５／６５Ｒ１４の乗用車用古タイヤ）、厚さ１０ｍｍのネオプレンゴム製のゴム板（弾丸停止用ゴム板）９枚、厚さ９ｍｍの鉄板（弾丸停止用鋼板）により構成されている。また、実験（実験５〜実験６）において用いた射撃訓練システム用バックストップは、厚さ１０ｍｍのネオプレンゴム製の前部ゴム板、厚さ１０ｍｍのネオプレンゴム製のゴム板（弾丸停止用ゴム板）９枚、厚さ９ｍｍの鉄板（弾丸停止用鋼板）により構成されている。
【００３７】
実験１における使用銃は、拳銃A、使用弾は鉛弾、射撃数は１である。図４（ａ）に示すように、弾丸は、前部ゴム板を貫通しタイヤ状ゴム部材において停止した。弾丸は、タイヤ状ゴム部材において破砕せずに捕捉された。
【００３８】
実験２における使用銃は、拳銃A、使用弾は鉛弾、射撃数は５である。図４（ｂ）に示すように、弾丸は、前部ゴム板を貫通しタイヤ状ゴム部材において停止した。弾丸は、タイヤ状ゴム部材において破砕せずに捕捉された。
【００３９】
実験３における使用銃は、拳銃B、使用弾はメタルジャケット、射撃数は１である。図４（ｃ）に示すように、弾丸は、前部ゴム板及びタイヤ状ゴム部材を貫通し、1枚目の弾丸停止用ゴム板において停止した。弾丸は、弾丸停止用ゴム板において破砕せずに捕捉された。
【００４０】
実験４における使用銃は、拳銃B、使用弾はメタルジャケット、射撃数は５である。図５（a）に示すように、５発中４発の弾丸は、前部ゴム板及びタイヤ状ゴム部材を貫通し、1枚目の弾丸停止用ゴム板において停止した。また、５発中１発の弾丸は、前部ゴム板、タイヤ状ゴム部材及び1枚目の弾丸停止用ゴム板を貫通し、２枚目の弾丸停止用ゴム板において停止した。弾丸は、1枚目または２枚目の弾丸停止用ゴム板において破砕せずに捕捉された。
【００４１】
実験５における使用銃は、拳銃A、使用弾は鉛弾、射撃数は２である。図５（ｂ）に示すように、弾丸は、2発とも前部ゴム板及び1枚目の弾丸停止用ゴム板を貫通し、２枚目の弾丸停止用ゴム板において停止した。弾丸は、２枚目の弾丸停止用ゴム板において破砕せずに捕捉された。
【００４２】
実験６における使用銃は、拳銃B、使用弾はメタルジャケット、射撃数は２である。図５（ｃ）に示すように、一方の弾丸は、前部ゴム板及び1〜５枚目の弾丸停止用ゴム板を貫通し、６枚目の弾丸停止用ゴム板において停止した。他方の弾丸は、前部ゴム板及び1〜６枚目の弾丸停止用ゴム板を貫通し、７枚目の弾丸停止用ゴム板において停止した。弾丸は、６枚目または７枚目の弾丸停止用ゴム板において破砕せずに捕捉された。
【００４３】
実験1〜実験4から明らかなように、タイヤ状ゴム部材により、弾丸の運動エネルギを十分に減少させることができるため、タイヤ状ゴム部材により、または、タイヤ状ゴム部材及び数枚の弾丸停止用ゴム板により確実に弾丸を停止させることができる。また、実験５、実験６から明らかなように、仮にタイヤ状ゴム部材が存在しない位置に弾丸が当たった場合においても、弾丸停止用ゴム板により確実に弾丸を停止させることができる。
【図面の簡単な説明】
【００４４】
【図１】第１の実施の形態に係る射撃訓練システム用バックストップの平面図である。
【図２】第１の実施の形態に係る射撃訓練システム用バックストップの側面図である。
【図３】第２の実施の形態に係る応用射撃訓練システムの概略図である。
【図４】この発明の実施の形態に係る射撃訓練システム用バックストップを用いた実験の結果を示す図である。
【図５】この発明の実施の形態に係る射撃訓練システム用バックストップを用いた実験の結果を示す図である。
【符号の説明】
【００４５】
２  射撃訓練システム用バックストップ
１０  前部ゴム板
１１  支持部材
１２  タイヤ状ゴム部材
１４  弾丸停止用ゴム板
１６  着脱機構
１８  弾丸停止用鋼板
２０  弾丸回収用傾斜部材
２２  弾丸
【図１】
2005221198.tif 000003
【図２】
2005221198.tif 000004
【図３】
2005221198.tif 000005
【図４】
2005221198.tif 000006
【図５】
2005221198.tif 000007